(57)【特許請求の範囲】
【請求項１】
規定の最大回転速度以下で回転するときに正常運転を行うファンモーター内に組み込まれ、ファンの回転速度を制御するファン制御システムであって、
このファン制御システムに入力される入力電圧に基づいて出力信号を決定し、決定された該出力信号を出力するプログラム化可能なマイクロコントローラーと、
前記マイクロコントローラーから出力された前記出力信号に基づいて、前記ファンモーターの回転速度を決定し、該ファンモーターを駆動するファン駆動ユニットとを備え、
前記回転速度が第一回転速度より小さい時、前記回転速度と前記入力電圧は第一の電圧で前記最大回転速度となる第一函数の関係をなし、前記回転速度が前記第一回転速度より大きい時、前記回転速度と前記入力電圧は前記第一の電圧よりも大きい第二の電圧で前記最大回転速度となる第二函数の関係をなすことを特徴とするファン制御システム。
【請求項２】
規定の最大回転速度以下で回転するときに正常運転を行うファンモーターに適用するファン制御システムであって、
このファン制御システムに入力される入力電圧に基づいて出力信号を決定し、決定された該出力信号に基づいて前記ファンモーターの回転速度を決定すると共に、該ファンモーターを駆動するファン駆動マイクロコントローラーを備え、
前記回転速度が第一回転速度より小さい時、前記回転速度と前記入力電圧は第一の電圧で前記最大回転速度となる第一函数の関係をなし、前記回転速度が前記第一回転速度より大きい時、前記回転速度と前記入力電圧は前記第一の電圧よりも大きい第二の電圧で前記最大回転速度となる第二函数の関係をなすことを特徴とするファン制御システム。
【請求項３】
規定の最大回転速度以下で回転するときに正常運転を行うファンモーター内に組み込まれ、ファンの回転速度を制御するファン制御システムであって、
このファン制御システムに入力される入力電圧及び前記回転速度を検知することにより得られる回転速度信号に基づいて出力信号を決定し、決定された該出力信号を出力するプログラム化可能なマイクロコントローラーと、
前記マイクロコントローラーから出力された前記出力信号に基づいて、前記回転速度を更新して、前記ファンモーターを駆動するファン駆動ユニットと、
を備え、
前記マイクロコントローラーは、前記回転速度と前記入力電圧との関係を規定する、前記回転速度が第一の回転速度より小さいときに第一の電圧で前記最大回転速度となる第一函数と、前記回転速度が前記第一の回転速度より大きいときに前記第一の電圧よりも大きい第二の電圧で前記最大回転速度となる第二函数とを適用することにより前記出力信号を決定することを特徴とするファン制御システム。
【請求項４】
前記第一函数及び前記第二函数は前記回転速度と前記入力電圧との関係を線形に規定する函数であって、該第二函数における該入力電圧に対応する傾斜は、該第一函数における該傾斜よりも小さいことを特徴とする請求項３に記載のファン制御システム。
【請求項５】
規定の最大回転速度以下で回転するときに正常運転を行うファンモーター内に組み込まれ、ファンの回転速度を制御するファン制御システムであって、
このファン制御システムに入力される入力電圧及び前記回転速度を検知することにより得られる回転速度信号に基づいて更新回転速度を決定すると共に、決定された該前記更新回転速度により前記回転速度を更新し、前記ファンモーターを駆動するファン駆動コントローラーを備え、
前記ファン駆動コントローラーは、前記回転速度と前記入力電圧との関係を規定する、前記回転速度が第一の回転速度より小さいときに第一の電圧で前記最大回転速度となる第一函数と、前記回転速度が前記第一の回転速度より大きいときに前記第一の電圧よりも大きい第二の電圧で前記最大回転速度となる第二函数とを適用することにより前記更新回転速度を決定することを特徴とするファン制御システム。
【請求項６】
前記第一函数及び前記第二函数は前記回転速度と前記入力電圧との関係を線形に規定する函数であって、該第二函数における該入力電圧に対応する傾斜は、該第一函数における該傾斜よりも小さいことを特徴とする請求項５に記載のファン制御システム。
【請求項７】
前記ファンモーターの磁場位相を感知して電圧を出力する磁場感応素子を更に備え、
前記ファン駆動コントローラーは、前記磁場感応素子の出力電圧を入力されることを特徴とする請求項５に記載のファン制御システム。
【発明の詳細な説明】
【０００１】
【発明の属する技術分野】
本発明は、ファン制御システムに関するものであって、特に、マイクロコントローラーを使用してファンモーターを制御するファン制御システムに関するものである。
【０００２】
【従来の技術】
公知のファン制御システムは一般的に、必要に応じて、異なった各種回路素子を用い、複雑な回路を形成して制御している。例えば、図１Ａ、図１Ｂ、図１Ｃ、図２Ａ及び図２Ｂは各種異なった効能の公知のファンの制御システムを示している。以下で公知のファン制御システムをそれぞれ詳述する。
【０００３】
先ず、公知のファン制御システムはファンの回転速度を制御するのに用いることが出来る。例えば、図１Ａは公知のファン制御システムにおいて、外部の可変直流電圧信号による制御を示す図である。図１Ａ中のファン５００は、操作電圧Vccを受け、比較器５２０によりパルス幅変調（Pulse  Width  modulation、PWM）信号を生成する。図１Ａで示されるように、比較器５２０は外部の０〜５Vの可変直流電圧信号と三角波信号をそれぞれ受信し、可変直流電圧の値と三角波比較後に決定されて生成されるPWM信号に基づいて、スイッチ５９０によりファン駆動回路５１０に出力し、ファンモーターの回転速度を決定する。
【０００４】
同様に、ファンの回転速度を制御する状況で、図１Ｂからも分かるように、公知のファン制御システム中、負の温度係数（NTC）の可変電圧信号により制御する。図１Ａと類似する点は、図１Ｂのファン５００は操作電圧Vccを受信して、同様に比較器５２０によりPWM信号を生成することである。図１Ｂで示されるように、比較器５２０は三角波信号と操作電圧Vccから負の温度係数５３０と固定の抵抗５４０の分圧操作により生成された可変電圧信号をそれぞれ受信し、可変電圧値と三角波比較後に決定して生成されたPWM信号に基づいて、スイッチ５９０によりファン駆動回路５１０に出力し、ファンモータの回転速度を決定する。
【０００５】
この他、ファンの回転速度を制御する時、入力した信号も電圧信号の形式でなくてもよい。例えば図１Cで示されるように、外部PWM信号を入力することによりファン５００を制御する。図１Cにおいて、ファン５００も同様に、操作電圧Vccを受け、外部PWM信号の入力は、回路素子、例えば、抵抗５４２により、内部PWM信号に転換され、スイッチ５９０により、ファン駆動回路５１０に出力され、モーターの回転速度を決定する。
【０００６】
ファンの回転速度を制限する以外に、公知のファン制御システムもファンモーターのローター位置制御等の方法により、ソフト起動や、特殊な回転速度変化と検知操作を達成することができる。例えば、図２Ａは、公知のファン制御システム中、ファン駆動ICにより、ファンモーターを駆動することを示す図である。ファン５００は同様に、操作電圧Vccを受けて、ファンモータのコイル５７０はファン駆動IC（ファン駆動回路）５１０により制御し、磁場感応素子に合わせて、例えば、図２Ａ中のホール素子５６０及びコンデンサ５５０等の素子により、ファンモーターのローター位置を制御して、ソフト起動するか又は、特殊な回転速度変化と検知の操作を行う。同様の操作も図２Ｂで示されるように、ホール素子５６０と抵抗５４４、５４６等の回路と組み合わせて、ファンモーターのコイル５７０に対し駆動をする。
【０００７】
しかし、公知のファン制御システムは多くの欠点があり、以下にそれらの問題を詳述する。
【０００８】
先ず、公知のファン制御システムにおいて、ファンの回転速度を変化させる時、外部方式ではない場合、例えば、外部PWM信号等の方式により行う場合、つまり、固定の入力電圧にとって、唯一の方法は、ファンモーターのコイルを変えることである。言い換えれば、固定のファンモーターコイルにおいて、図３で示される回転速度と操作電圧と類似した関係を有し、例えば、図３中の回転速度と操作電圧函数Fでは、入力電圧Voがある場合、関係函数Fの特性線上のAに対応することが出来、それが対応する第一回転速度値Woを得ることができる。これにより、相同する入力電圧に対し、ファンに多段速の回転速度を備えさせたい場合、同量の多くの異なる特性のコイルを設計する必要があり、これにより、ファンの尺寸と生産コストは好ましくない影響がある。
【０００９】
次に、図１Ａと図１Ｂにおいて示される、２つの公知例では、三角波と比較器５２０の方式により、PWM信号が生成させ、ファン回転速度を制御する中で、図１Ａが使用する０〜５Vの外部直流電圧入力比較器５２０、或いは図１Ｂで使用する負の温度係数５３０が変更する電圧入力比較器５２０も、両者はハード回路素子を使用し、互換性が小さく、三角波とそれが生じるPWM信号は大きな誤差を生じる恐れがあり、回転速度が安定しないという現象が生じる。
【００１０】
また、図１Ｃで示される公知のファン制御システムのように、外部PWM信号を入力し、抵抗５４２のような回路素子により転換して内部PWM信号を得る方式において、内部PWM信号は外部PWM信号の周波数及び出力周期による制限を受けるため、外部PWM信号周波数が低い時、振動は次第に大きくなり、ファン５００の寿命に影響を与える。外部PWM信号周波数が高い時、回路反応速度が遅くなる恐れがあり、回転速度が安定しないという問題が生じ、転換過程において、PWM信号周波数が人の聴覚で聞こえる範囲まで落ちて、モーター切り換え時の騒音となる。
【００１１】
また、図２Ａと図２Ｂで示されるファンモーターのローター位置を制御する公知のファン制御システムにおいて、図２Ａで示されるファン駆動IC５１０を使用するのも、図２Ｂで示されるホール素子５６０を回路設計に組み合わせるのも、その他の磁場感応素子或いは方式を採用しても、回路素子は皆ハード素子であり、互換性が小さく、同様の特性の問題がある。
【００１２】
この他、図３で示されるように、ファンモーター自身が回転速度と操作電圧の関係函数Fを有し、前記関係函数Fが線性函数であるとする。この時、ファンモーター自身が耐えられる最大回転速度WmaxはF線上のBに対応することが出来、最大電圧値Vmaxを得る。この最大電圧値を超過した場合、回転速度は高すぎて、ファンモーターがオーバーヒートして損壊させる。これにより、入力電圧値が最大電圧値Vmax以下の制限を受け、例えば、一般に見られるようなファンモーターは一般的に最高６０Vまで達する。しかし、ファンシステムが提供する電源は、この最大電圧値を超過するものもあり、このときは、電圧を切るなどの方式により、入力電圧をB点以下の位置に制御しなければ、ファンモーターが破損する恐れがある。このやり方は製造コストや時間を増加させるだけでなく、電圧を切る方式も安定した電圧を供給できず、ファンモーターは破損の可能性をはらむ。
【００１３】
この他、前記公知のファン制御システムにおいて、回転速度の検知と警告の機能を加え、回転速度が高すぎる時に警告したり、ファンを中断する場合は、回路素子を加えなければならず、コストを増加させ、またファン制御回路の堆積を増加させてしまう。
【００１４】
【発明が解決しようとする課題】
本発明は、マイクロコントローラーを用いたファン制御装置システムを提供し、ファンモーターに適用し、上述の公知のファン制御システムの各種問題を解決することを目的とする。
【００１５】
【課題を解決するための手段】
本発明の第一形態は、規定の最大回転速度以下で回転するときに正常運転を行うファンモーターに適用するファン制御システムを開示し、
このファン制御システムに入力される入力電圧に基づいて出力信号を決定し、決定された該出力信号を出力するプログラム化可能なマイクロコントローラーと、
前記マイクロコントローラーから出力された前記出力信号に基づいて、前記ファンモーターの回転速度を決定し、該ファンモーターを駆動するファン駆動ユニットとを備え、
前記回転速度が第一回転速度より小さい時、前記回転速度と前記入力電圧は第一の電圧で前記最大回転速度となる第一函数の関係をなし、前記回転速度が前記第一回転速度より大きい時、前記回転速度と前記入力電圧は前記第一の電圧よりも大きい第二の電圧で前記最大回転速度となる第二函数の関係をなす。
【００１６】
前記ファン制御システムにおいて、ファン駆動ユニットはファン駆動回路である。また、入力信号は可変電圧信号、外部パルス幅変調信号或いは回転速度を検知して得られる回転速度信号である。マイクロコントローラーは回転速度が所定値と異なると判断した時、警告信号を出力する。また、出力信号はパルス幅変調信号である。
【００１７】
本発明の第二形態は、ファンモータに適用するファン制御システムを開示し、入力信号を受信し、前記入力信号に基づいて出力信号を決定すると共に、前記出力信号に基づいて前記ファンモーターの回転速度を決定して、前記ファンモータを駆動するファン駆動マイクロコントローラーからなる。
【００１８】
前記ファン制御システムにおいて、入力信号は可変電圧信号、外部パルス幅変調信号、或いは回転速度を検知して得られる回転速度信号であり、ファン駆動マイクロコントローラーが、回転速度信号が所定値と異なると判断した時、警告信号を出力する。また、出力信号はパルス幅変調信号である。この他、前記ファン制御システム中、磁場感応素子を更に備え、ファンモーターの磁場位相を感知して、入力信号を前記ファン駆動マイクロコントローラーに出力する。磁場感応素子はホール素子である。
【００１９】
本発明の第三形態は、ファンモータに適用するファン制御システムを開示し、ファンモーターが最大回転速度値より小さい回転速度時に正常運転をし、前記ファン制御システムは、前記ファン制御システムの入力電圧及び回転速度を検知することにより得られる回転速度信号を受信し、前記入力信号及び前記回転速度信号に基づいて、回転速度判断法則により、出力信号を決定すると共に、前記出力信号を出力するプログラム化可能なマイクロコントローラーと、前記出力信号を受信すると共に、前記出力信号に基づいて、回転速度を更新して、前記ファンモータを駆動するファン駆動ユニットと、からなり、前記回転速度判断法則は、前記回転速度が第一回転速度より小さい時、前記回転速度は前記入力電圧と第一函数の関係をなし、前記回転速度が第一回転速度より大きい時、前記回転速度は前記入力電圧と第二函数の関係をなし、且つ、前記第一函数に対応して得られる最大回転速度値の第一最大電圧値は、前記第二函数に対応して得られる最大回転速度値の第二最大電圧値より小さい。
【００２０】
前記ファン制御システム中、ファン駆動ユニットはファン駆動回路であり、入力信号は可変電圧信号である。また、出力信号はパルス幅変調信号である。マイクロコントローラーは、回転速度信号が第二回転速度値を超過する時、警告信号を出力する。この他、第一関数と第二函数は共に線性関数であり、第二函数の入力電圧に対応する傾斜は、第一函数が入力電圧に対応する傾斜より小さい。
【００２１】
本発明の第四形態は、ファンモータに適用するファン制御システムを開示し、ファンモーターが最大回転速度値より小さい回転速度時に正常運転をし、前記ファン制御システムは、前記ファン制御システムの入力電圧及び回転速度を検知することにより得られる回転速度信号を受信し、前記入力電圧と前記回転速度信号に基づいて、回転速度判断法則により、前記回転速度を更新し、更新回転速度値を決定すると共に、前記更新回転速度値により、前記ファンモーターを駆動するファン駆動マイクロコントローラーからなり、前記回転速度判断法則は、前記回転速度が第一回転速度値より小さい時、前記更新回転速度値は前記入力電圧と第一函数の関係をなし、前記回転速度が第一回転速度より大きい時、前記更新回転速度値は前記入力電圧と第二函数の関係をなし、且つ、前記第一函数に対応して得られる前記最大回転速度値の第一最大電圧値は、前記第二函数に対応して得られる前記最大回転速度値の第二最大電圧値より小さい。
【００２２】
前記ファン制御システム中、ファン駆動ユニットはファン駆動回路であり、入力電圧は可変電圧信号である。マイクロコントローラーは、回転速度信号が第二回転速度値を超過する時、警告信号を出力する。この他、第一関数と第二函数は共に線性関数であり、第二函数の入力電圧に対する傾斜は、第一函数が対応する入力電圧の傾斜より小さい。また、前記ファン制御システム中、磁場感応素子を更に備え、ファンモーターの磁場位相を感知して、出力信号を前記ファン駆動マイクロコントローラーに出力する。磁場感応素子はホール素子である。
【００２３】
【発明の実施の形態】
上述した本発明の目的、特徴、及び長所をより一層明瞭にするため、以下に本発明の好ましい実施の形態を挙げ、図を参照しながらさらに詳しく説明する。
【００２４】
本発明のファン制御装置は、マイクロコントローラーを用いて公知技術中の各回路素子を代替する。マイクロコントローラーはプログラム化できる特性があるため、その効能を変更しやすく、体積も小さく、アナログ／デジタルを転換する信号を受信できる効能を備えることにより、公知技術の各問題を解決することができる。以下は本発明のファン制御装置の各実施例をそれぞれ説明する。
【００２５】
図４は、本発明の実施例のファン制御装置を示す図である。本発明において、公知の装置と同様に、ファン１００は操作電圧Vccを受け、ファンモータの駆動は同様に、図４で示されるファン駆動回路１１０などのファン駆動素子を利用する。公知技術と異なる点は、本発明はマイクロコントローラー１２０を用いて公知技術の各回路素子を代替することである。マイクロコントローラー１２０はプログラム化が出来、内部は回路素子転換効能に相当するプログラムを記録することが出来る。一般的に、電圧（図示せず）をマイクロコントローラー１２０に提供するだけで、操作ができる。マイクロコントローラー１２０は入力信号を受信する。入力信号は各種形態があり、例えば、電圧、PWM信号或いは回転速度信号等、異なった効能の要求に応じて異なったプログラム設計ができる。
【００２６】
図４で示されるように、マイクロコントローラー１２０は入力信号を受信した後、入力信号に基づいて、例えば、パルス幅変調信号（PWM）等の出力信号を決定すると共に、PWM信号をスイッチ１９０によりファン駆動回路１１０に出力し、ファン駆動回路１１０に、PWM信号に基づいてファンモータの回転速度を決定させ、ファンモータのコイル磁場を駆動し、回転速度を制御する。
【００２７】
上述の実施例において、入力信号は異なった効能の要求に応じて異なった変化が出来る。例を挙げると、公知技術中の図１Ａ、図１Ｂと図１Ｃで使用する回路を参考にすると、本発明のマイクロコントローラー技術を運用すれば、図５Ａ、図５Ｂ及び図５Ｃの３つの実施例を得ることが出来、以下で詳述する。
【００２８】
図５Ａの実施例は、図１Ａに対応し、ファン１００は同様に操作電圧Vccを受けるが、本実施例はマイクロコントローラー１２０により公知技術中の比較器５２０を代替し、PWM信号を生成する。図５Ａで示されるように、マイクロコントローラー１２０は外部の可変の０〜５Vの直流電圧信号を受信すると共に、マイクロコントローラー１２０によってA／Dを転換して、可変直流電圧に基づいて、直接プログラム計算を経た後、生成するPWM信号を決定し、スイッチ１９０よりファン駆動回路１１０に出力して、ファンモーターの回転速度を決定する。これにより、公知の三角波入力装置は省略でき、マイクロコントローラー１２０のプログラム制御も公知の三角波に比べて正確である。
【００２９】
同様に、図５Ｂのもう一つの実施例は図１Ｂに対応し、ファン１００は操作電圧Vccを受け、本実施例は同様に、マイクロコントローラー１２０により公知技術中の比較器５２０を代替し、PWM信号を生成する。図５Ｂで示されるように、マイクロコントローラー１２０は操作電圧Vccから負の温度係数１４０固定の抵抗１５０の分圧操作により生じる可変電圧信号入力を受け取ると共に、マイクロコントローラー１２０のA／D転換により、可変電圧に基づいて、直接プログラム計算により生成されるPWM信号により、スイッチ１９０からファン駆動回路１１０に出力して、ファンモーターの回転速度を決定する。
【００３０】
この他、本発明はファン回転速度を制御する時、入力する信号も電圧信号形式でなくてもよい。図５Ｃのもう一つの実施例において、公知技術の図１Ｃに対応させると、本実施例は、同様に、外部PWM信号を入力してファン１００を制御する。図５Ｃにおいて、ファン１００は同様に、操作電圧Vccを受ける。しかし、外部PWM信号入力は、マイクロコントローラー１２０によるもので、調整等の転換過程で、内部PWM信号に転換され、スイッチ１９０によりファン駆動回路１１０に出力されてファンモーターの速度を決定する。これにより、マイクロコントローラー１２０のプログラム制御は公知の抵抗等の素子の転換結果より正確である。
【００３１】
この他、公知技術の図２Ａと図２Ｂ等のファンモーターのローター位置制御などの方法により、ソフト起動、或いは、特殊な回転速度変化と検知を達成し、本発明は、同様に、マイクロコントローラーを用いて、公知のファン駆動回路を代替する。例えば図６は、本発明のもう一つの実施例のファン制御システムである。ファン１００は、同様に操作電圧Vccを受信するが、本実施例はファン駆動マイクロコントローラー１２０により、公知のファン駆動IC（ファン駆動回路）５１０を代替し、ファンモーターのコイル１７０を制御し、ホール素子１６０などの磁場感応素子を組み合わせることにより、モーターのローター位置を制御して、ソフト起動或いは特殊な回転速度変化と検知操作を行う。
【００３２】
これにより、本実施例のマイクロコントローラー１２０は、ファン駆動ユニットの効能を備えることが出来、前述の実施例のように、別途に、その他の例えば、可変電圧、外部PWM信号等の外部信号を受信して、ファン制御システムの素子数を減少し、多数のプログラムを有するマイクロコントローラー１２０に大部分の制御操作を実行させる。
【００３３】
また、本発明が使用するマイクロコントローラーは、ファンモーターの回転速度を検知することが出来、フィードバック制御方式により、回転速度を更に安定させる。図７で示されるように、本発明のもう一つの実施例で、マイクロコントローラー１２０が受信した入力信号は、ファンモーターからの回転速度が対応する回転速度信号で、回転速度信号により計算比較した後、ファン駆動回路１１０に出力するPWM信号を決定する。この他、マイクロコントローラー１２０のプログラム中に、所定値（前述の第二回転速度値）を設定することが出来、実際の回転速度が所定値と異なる時、警告信号を出力して、ファン回転速度が遅過ぎたり速過ぎたりするのを避ける。
【００３４】
前記実施例中、回転速度の検知と制御は図８のフローチャートで示される。先ず、マイクロコントローラー１２０はファンモーターの実際の速度を検知し（工程S１０）、この時、マイクロコントローラー１２０は回転速度信号を受信した後、回転速度が入力信号が決定する所定速度まで落ちているかどうか判断し（工程S２０）する。回転速度が落ちていない場合、回転速度が最小回転速度又は最大回転速度かどうか判断し（工程S３０）、もし、ファンモータ或いはファン制御システムに何か問題が起きて速度を安定させることが出来ない場合、警告信号を出力し（工程S４０）、もし、最大或いは最小回転速度ではない場合、回転速度の調整を実施する（工程S５０）。このような一巡する調整運転は、マイクロコントローラーのプログラム化を制御することにより、公知技術と比べて、正確度が高く、反応時間と安定性は向上する。
【００３５】
この他、前記各実施例のファン制御システムにおいて、ファンモーターは最大回転速度値を備え、つまり、ファンモーターは、最大回転速度値より小さい回転速度の時、正常に運転する。この時、図３で示される公知のファン制御システムの回転速度と入力電圧の対応函数Fと比べると、本発明は図９で示される実施例を採用し、マイクロコントローラー１２０をプログラム化し、マイクロコントローラー１２０を第一回転速度値Woより小さい速度にする時、回転速度と入力電圧の関係は第一函数F１の関係になる。回転速度が第一回転速度値Woより大きい時、回転速度と入力電圧波第二函数F２の関係になる。図９において、第一函数F１と第二函数F２は共に線性函数であるが、回転速度と入力電圧の関係は、線性函数が必要なわけではない。
【００３６】
本発明はモーターが耐えうる最大電圧値を増加するために、第一函数F１に対応して得られる最大回転速度値Wmaxの第一最大電圧値Vmaxは、第二函数F２に対応して得られる最大回転速度値のVmaxの第二最大電圧値Vmax’より小さい。つまり、本実施例はA点の回転速度Woにおいて、元の第一函数F１の特性をプログラムにより第二函数F２に転換し、新しい回転速度判断法則を獲得して、回転速度フィードバック制御時の更新回転速度値を決定し、且つ、第二函数F２が入力電圧に対応する傾斜は、第一函数F１が入力電圧に対応する傾斜より小さい。これにより、最大回転速度値Wmax時、対応点は元のB点からC点に移動し、最大入力電圧を増加させることが出来、例えば、公知技術でよく見られるような６０Vを８０Vにしたり、９０V以上にすることができる。
【００３７】
本発明のマイクロコントローラーを用いたファン制御システムによると、前記回転速度判断法則は、上述の実施例中のどれにも運用することが出来る。また、本発明が提出する図と実施例は本発明に限定するものではない。
【００３８】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【００３９】
【発明の効果】
公知技術の様々な欠点を解決することができる。
【図面の簡単な説明】
【図１Ａ】公知のファン制御システム中、外部の可変直流電圧信号による制御を示す図である。
【図１Ｂ】公知のファン制御システム中、NTCの可変電圧信号による制御を示す図である。
【図１Ｃ】公知のファン制御システム中、外部のパルス幅変調信号による制御を示す図である。
【図２Ａ】公知のファン制御システム中、ファン駆動ICによるファンモーターの駆動を示す図である。
【図２Ｂ】公知のファン制御システム中、ホール素子によるファンモーターの駆動を示す図である。
【図３】公知のファン制御システムの回転速度と操作電圧の関係図である。
【図４】本発明の実施例によるファン制御システムを示す図である。
【図５Ａ】本発明のもう一つの実施例によるファン制御システムを示す図である。
【図５Ｂ】本発明のもう一つの実施例によるファン制御システムを示す図である。
【図５Ｃ】本発明のもう一つの実施例によるファン制御システムを示す図である。
【図６】本発明のもう一つの実施例によるファン制御システムを示す図である。
【図７】本発明のもう一つの実施例によるファン制御システムを示す図である。
【図８】本発明のマイクロコントローラーの回転速度判断のフローチャートである。
【図９】本発明の実施例によるファン制御システム中の回転速度と操作電圧との関係を示す図である。
【符号の説明】
１００  ファン
１１０  ファン駆動回路
１２０  マイクロコントローラー
１５０  抵抗
１６０  ホール素子
１７０  コイル
１９０  スイッチ
ＰＷＭ  パルス幅変調信号、
Ｖｃｃ  操作電圧、
Ｗｍａｘ  最大回転速度値、
Ｗｏ    第一回転速度値、
Ｖｍａｘ  第一最大電圧値
Ｖｍａｘ’  第二最大電圧値
Ｖo    入力電圧
【図１Ａ】
0003955789.tif 000002
【図１Ｂ】
0003955789.tif 000003
【図１Ｃ】
0003955789.tif 000004
【図２Ａ】
0003955789.tif 000005
【図２Ｂ】
0003955789.tif 000006
【図３】
0003955789.tif 000007
【図４】
0003955789.tif 000008
【図５Ａ】
0003955789.tif 000009
【図５Ｂ】
0003955789.tif 000010
【図５Ｃ】
0003955789.tif 000011
【図６】
0003955789.tif 000012
【図７】
0003955789.tif 000013
【図８】
0003955789.tif 000014
【図９】
0003955789.tif 000015